(57)【要約】      （修正有）【課題】乗客数に拘わらず、乗客の乗降が完了した時点でかご戸を閉じることができるエレベーター装置を提供する。【解決手段】かご戸３Ａ，３Ｂの近傍に乗降客の通過を検出する乗降客検出装置１３，１４，１５を設け、この乗降客検出装置１３，１４，１５が最終乗降客を検出することで全開中の前記かご戸３Ａ，３Ｂを閉じる戸閉じ手段９〜１１を設けた。  上記構成とすることで、乗降客数に拘わらず、また乗り込み客か降り客に拘わらず、乗降を終了した時点で全開中のかご戸３Ａ，３Ｂを閉じることができるので、乗客に対するサービスを向上できる。【選択図】図１
2006117424.tif 000002
【特許請求の範囲】
【請求項１】
乗場に設置した呼びボタンと、乗かご内に設置した行き先階登録ボタンとを備えたエレベーター装置において、前記乗かごのかご戸の近傍にかご戸が全開中に乗降客の通過を検出する乗降客検出装置を設け、この乗降客検出装置が最終乗降客を検出することで前記かご戸を閉じる戸閉手段を設けたことを特徴とするエレベーター装置。
【請求項２】
乗場に設置した呼びボタンと、乗かご内に設置した行き先階登録ボタンと、乗かごのかご戸の近傍に設けられ検出ビームを間口方向に照射する乗降客検出センサと、この乗降客検出センサが戸閉動作中に乗降客を検出すると前記かご戸を反転駆動させる戸反転駆動手段とを備えたエレベーター装置において、前記かご戸の近傍にかご戸が全開中に乗降客の通過を検出する乗降客検出装置を設け、この乗降客検出装置が最終乗降客を検出することで全開中の前記かご戸を閉じる戸閉手段を設けたことを特徴とするエレベーター装置。
【請求項３】
前記乗降客検出装置は、前記乗降客検出センサが兼用するように構成されていることを特徴とする請求項２記載のエレベーター装置。
【請求項４】
前記乗降客検出センサは、前記かご戸が全開中に前記乗降客検出装置として機能するように構成されていることを特徴とする請求項３記載のエレベーター装置。
【請求項５】
前記戸閉手段は、前記乗降客検出装置によって一人の乗客が検出された場合、前記行き先階登録ボタンを押すことで前記かご戸を閉じるように構成されていることを特徴とする請求項１又は２記載のエレベーター装置。
【発明の詳細な説明】
【技術分野】
【０００１】
本発明はエレベーター装置に係り、特に、乗客へのサービスを向上させたエレベーター装置に関する。
【背景技術】
【０００２】
一般にエレベーター装置は、かご戸が全開してから所定時間経過して自動的にかご戸を閉じるように構成されているので、かご戸が閉じ始めるまでに時間がかかっていた。このような問題を改善するために、乗かごに乗り込んで行き先階登録ボタンを押すと、直ちにかご戸を閉じるようにした技術が、例えば特許文献１に開示のように、既に提案されている。
【０００３】
【特許文献１】特開平４−１７９６９０号公報
【発明の開示】
【発明が解決しようとする課題】
【０００４】
上記従来の技術によれば、複数の乗客が乗り込む場合、最初に乗り込んだ乗客が行き先階登録ボタンを押してしまうと、まだ乗り込み中の乗客がいるにも拘わらず、かご戸が戸閉動作を開始してしまうので、乗り込み中の乗客に戸閉中のかご戸がぶつかって、危険であった。
【０００５】
また、かご戸が全開して乗客が降り、乗り客もなく、乗客が乗かご内に残っている場合には、残っている乗客が戸の閉ボタンを押さなければ、かご戸は所定の時間全開し続けることになる。
【０００６】
本発明の目的は、乗客数に拘わらず、乗客の乗降が完了した時点でかご戸を閉じることができるエレベーター装置を提供することにある。
【課題を解決するための手段】
【０００７】
本発明は上記目的を達成するために、かご戸の近傍に乗降客の通過を検出する乗降客検出装置を設け、この乗降客検出装置が最終乗降客を検出することで前記かご戸を閉じる戸閉じ手段を設けたのである。
【発明の効果】
【０００８】
以上説明したように本発明によれば、上記構成とすることで、乗降客数に拘わらず、また乗り込み客か降り客に拘わらず、乗降を終了した時点でかご戸を閉じることができるので、乗客に対するサービスを向上できるエレベーター装置を得ることができる。
【発明を実施するための最良の形態】
【０００９】
以下本発明によるエレベーター装置の実施の形態を図１〜図５に基づいて説明する。
【００１０】
乗かご１には、出入口２を開閉するかご戸３Ａ，３Ｂが設けられており、乗かご１の内部には、操作盤４が設置されている。この操作盤４には、エレベーター装置が設置される建屋の階床数に応じた行き先階登録ボタン５が設けられていると共に、着床時にかご戸３Ａ，３Ｂを強制的に開かせたり開状態を維持させたりするための戸開ボタン６と、かご戸３Ａ，３Ｂを強制的に閉じさせる戸閉ボタン７が設けられている。操作盤４の各ボタンからの信号は固定部分（昇降路壁や乗場側の壁）に設置された制御装置８に出力され、これらの信号は制御装置８の演算処理装置９で処理されて戸制御手段１０に出力される。戸制御手段１０は、演算処理装置９の指令に基づいて戸駆動手段１１を駆動し、かご戸３Ａ，３Ｂの通常の開閉動作、強制開閉動作、開状態維持動作を行う。
【００１１】
さらに、図２に示すように、乗かご１のかご戸３Ａ，３Ｂの近傍、本実施の形態ではかご戸３Ａ，３Ｂの戸当たり側に設けたセフティ−シュー１２Ａ，１２Ｂに、上下に間隔を置いて少なくとも２組の乗降客検出センサ１３，１４を設けている。これら乗降客検出センサ１３，１４は、かご戸３Ａに設けられ検出ビームを出入口２の間口方向に照射するビーム照射部１３Ａ，１４Ａと、かご戸３Ｂに設けられ照射された検出ビームを受けるビーム受部１３Ｂ，１４Ｂとからなり、照査された検出ビームを乗降客が遮ることで乗客の通過を検出するものである。そして、乗降客検出センサ１３を乗かご内側寄りに、乗降客センサ１４を乗場側寄りに設置している。
【００１２】
これら乗降客検出センサ１３，１４は、戸閉動作中に乗降客を検出すると、その検出信号を乗客検出回路１５を介して制御装置８に送信し、制御装置８は、送信されてきた検出信号に基づいて戸閉動作を指示している戸制御手段１０や戸駆動手段１１に対し、戸閉動作中のかご戸３Ａ，３Ｂの戸閉動作を中止させて戸開動作を行うように指示するようにしている。即ち、戸閉動作中に検出ビームを乗降客が遮ることで、戸閉動作中のかご戸３Ａ，３Ｂを反転させて戸開動作させ、乗客が戸閉動作中のかご戸３Ａ，３Ｂに挟まれないようにしている。したがって、乗降客検出センサ１３，１４と乗客検出回路１５と制御装置８と演算処理装置９と戸制御手段１０と戸駆動手段１１とで、戸反転駆動手段を構成している。
【００１３】
さらに、本実施の形態においては、前記乗降客検出センサ１３，１４と乗客検出回路１５とを、戸全開中に乗客検出装置として利用している。即ち、かご戸３Ａ，３Ｂの全開中において、前記乗客検出回路１５を経由する乗降客検出センサ１３，１４からの検出信号を、制御装置８の演算処理装置９によって処理して乗降客数と最終乗降客とを検出し、それに応じて戸制御手段１０及び戸駆動手段１１を経由してかご戸を駆動制御するように構成している。したがって、乗客検出装置となる乗降客検出センサ１３，１４及び乗客検出回路１５と制御装置８と演算処理装置９と戸制御手段１０と戸駆動手段１１とで、本発明のかご戸を閉じる戸閉手段を構成している。
【００１４】
具体的には、降り客は、乗降客検出センサ１３からの検出ビームを遮った後に、乗降客検出センサ１４からの検出ビームを遮ることで、図３（Ａ）に示すように、乗降客検出センサ１３からの検出波形が早く出力され、乗降客検出センサ１４からの検出波形が遅く出力されることで検出することができ、乗り込み客は、図３(Ｂ)に示すように、逆の順で検出ビームを遮ることで検出することができる。また、乗降客数と最終乗降客の検出は、一人の場合には、図３に示すように、各乗降客検出センサ１３，１４からの検出波形が一つとなることで検出でき、複数人の場合には、図４（Ａ）及び図４（Ｂ）に示すように、各乗降客検出センサ１３，１４からの検出波形が客数に応じて不連続の複数の波形、あるいは連続した波形（図中、破線で表示）となるので、検出することができる。
【００１５】
そして、一人の乗客が乗り込んできた場合には、制御装置８に図３(Ａ)のような検出波形が乗客検出回路１５を経由して送られ、行き先階登録ボタン５を押すことで、かご戸３Ａ，３Ｂは直ちに戸閉を開始するように制御され、乗かご１は目的階へ昇降して行く。しかしながら、行き先階登録ボタン５を押さないで、しかも乗かご１内に他の乗客がいなければ、規定の時間経過した後に戸閉を開始し、他階からかご呼びがない場合には、その階で戸開待機するか、基準階に移動した後戸開待機するので、万一、老人や幼児が乗り込んで行き先階登録ボタン５を押さなくても、乗かご１内に長期に亘って閉じ込められることを防止できる。行き先階登録ボタン５を押さない場合でも、乗かご１内に既に乗客がいて、その乗客が戸閉ボタン７を押せば、強制的に戸閉が行われる。
【００１６】
一方、複数の乗客が乗り込んできた場合には、制御装置８に図４(Ａ)のような検出波形が乗客検出回路１５を経由して送られているので、最初に乗り込んだ乗客が行き先階登録ボタン５を押しても、かご戸３Ａ，３Ｂは直ちに戸閉を開始せず、最終乗客が検出された後、戸閉するように制御される。
【００１７】
さらに、一人又は複数の乗客が降りる場合には、最終降り客を検出することで、直ちに戸閉を開始するように、制御される。したがって、まだ乗かご１内に乗客がいる場合には、直ちに戸閉して目的開へ出発することができるので、残った乗客へのサービスの低下をなくすことができる。尚、全ての乗客が降りた場合には、所定時間経過後に一端戸閉するが、他階からのかご呼びがない場合には、その階で戸開待機するか、基準階に移動した後戸開待機する。
【００１８】
上記実施の形態は、戸閉中に乗降客を検出すると、戸閉中のかご戸３Ａ，３Ｂを強制的に反転させる戸反転駆動手段を有している車椅子対応エレベーター装置を一例に説明した。この種、車椅子対応エレベーター装置においては、一律に戸閉を開始させるまでの時間を長く取っているので、健康な乗客が利用している場合には、長い時間経過後の戸閉動作には苛立ちを覚える。このような車椅子対応エレベーター装置を健康な乗客が利用する場合、乗降終了後直ちに戸閉できる本実施の形態は特に有効である。さらに、複数の乗降客の乗降に際しては、最終乗降客を検出してから戸閉を開始し、一人の乗客に対しては行き先階登録ボタン５を押すことで戸閉を開始するので、乗降中にかご戸３Ａ，３Ｂが戸閉を始めることはなく、乗降中の戸閉の恐怖や不快感を一掃することができる。
【００１９】
ところで以上の説明は、戸反転駆動手段を備えた車椅子対応エレベーター装置を一例に説明したが、一般の常用エレベーター装置においても本発明を適用できることは勿論である。ただ、一般の常用エレベーター装置に適用する場合には、乗降客検出センサ１３，１４や乗客検出回路１５が存在しないので、乗降客検出センサ１３，１４や乗客検出回路１５と同様な専用の乗客検出装置を設ける必要がある。
【図面の簡単な説明】
【００２０】
【図１】本発明によるエレベーター装置の実施の形態を示す概要説明図。
【図２】図１に示すエレベーター装置の乗客検出センサの取り付け状態を示す平面図。
【図３】（Ａ）は一人の乗り客を検出したときの検出波形を示し、（Ｂ）は一人の降り客を検出したときの検出波形を示す。
【図４】（Ａ）は複数の乗り客を検出したときの検出波形を示し、（Ｂ）は複数の降り客を検出したときの検出波形を示す。
【符号の説明】
【００２１】
１…乗かご、３Ａ，３Ｂ…かご戸、４…操作盤、５…行き先階登録ボタン、６…戸開ボタン、７…戸閉ボタン、８…制御装置、９…演算処理装置、１０…戸制御手段、１１…戸駆動手段、１２Ａ，１２Ｂ…セフティシュー、１３，１４…乗客検出センサ、１３Ａ，１４Ａ…ビーム照射部、１３Ｂ，１４Ｂ…ビーム受部、１５…乗客検出回路。
【図１】
2006117424.tif 000003
【図２】
2006117424.tif 000004
【図３】
2006117424.tif 000005
【図４】
2006117424.tif 000006